(57)【要約】【課題】  ディスク装置全体の奥行き寸法を小型化するのに好適な「ディスクの誤挿入防止機構」を提供すること。【解決手段】  挿入口３ａを有する前面板の外表面に一対の回動アーム４，５を軸支し、両回動アーム４，５を逆方向に同期回転するようにギア結合すると共に、両回動アーム４，５をスプリング１０によって挿入口３ａの閉塞方向へ回動付勢する。前面板３に折曲形成したストッパ８を回動アーム４の回動軌跡内に向かって突出させると共に、この回動アーム４に板ばね９を片持ち梁状に固着し、板ばね９の自由端に形成した摺動部９ａを前面板３の外表面に弾接することにより、回動アーム４をストッパ８の突出量よりも大きく前面板３の外表面から離間させる。そして、誤挿入されたディスクＤによって回動アーム４が前面板３の外表面側に押し付けられたとき、回動アーム４をストッパ８に当接させてその回動を阻止したロック状態となす。【選択図】  図２
2005267781.tif 000002
【特許請求の範囲】
【請求項１】
ディスクを挿入および排出するためのスリット状の挿入口が設けられた前面板と、この前面板の外表面に沿って回動可能なシャッタと、このシャッタの回動軌跡内に配設されたストッパと、前記シャッタを前記前面板の外表面から離間する方向へ付勢して前記ストッパとの当接を回避する弾性手段と、前記シャッタを回転駆動して前記挿入口を選択的に開閉する開放手段とを備え、
前記挿入口の閉塞位置にある前記シャッタに向けてディスクが挿入されたとき、前記シャッタが前記弾性手段の付勢力に抗して前記前面板の外表面側に押し付けられて前記ストッパと当接することにより、該シャッタの回転が阻止されるように構成したことを特徴とするディスクの誤挿入防止機構。
【請求項２】
請求項１の記載において、前記弾性手段が前記シャッタに片持ち梁状に固着された板ばねからなり、この板ばねの自由端部を前記前面板の外表面に弾接させたことを特徴とするディスクの誤挿入防止機構。
【請求項３】
請求項１または２の記載において、前記シャッタが金属板製の回動アームからなると共に、この回動アームの一側縁に前記前面板の外表面に対して起立方向へ突出する折曲湾曲部を形成し、前記回動アームが前記挿入口の閉塞位置にあるとき、該挿入口の長手方向に沿う直線に対して前記折曲湾曲部を傾斜させたことを特徴とするディスクの誤挿入防止機構。
【請求項４】
請求項１の記載において、前記シャッタが前記前面板の外表面に軸支された一対の回動アームからなり、これら回動アームの端部同士をギア結合することにより、前記一対の回動アームが同期して回転するように構成したことを特徴とするディスクの誤挿入防止機構。
【請求項５】
請求項４の記載において、前記一対の回動アームが前記挿入口の閉塞位置にあるとき、該挿入口の長手方向に沿う直線に対して前記一対の回動アームが逆向きに傾斜するように構成したことを特徴とするディスクの誤挿入防止機構。
【請求項６】
請求項１の記載において、前記シャッタと前記開放手段との間にクラッチ板を介設し、このクラッチ板を前記シャッタと同軸上に配置すると共に、これらシャッタとクラッチ板とに捻りコイルばねの両端を掛止したことを特徴とするディスクの誤挿入防止機構。
【請求項７】
請求項１〜６のいずれか１項の記載において、ディスクの周縁部が挿入されるガイド溝を有する搬送ガイド体と、この搬送ガイド体に対向して列状に配置された搬送プーリ群と、これら搬送ガイド体と搬送プーリ群との対向間隔を可変させる可変動力部とを備え、前記開放手段が前記可変動力部を駆動源としてスライド動作する駆動部材であると共に、この駆動部材の一部を前面板の裏面側から外表面側に突出させたことを特徴とするディスクの誤挿入防止機構。
【請求項８】
請求項７の記載において、前記可変動力部が前記搬送ガイド体と前記搬送プーリ群との対向間隔を最小にさせるとき、前記駆動部材のスライド移動に伴って前記シャッタが前記挿入口の閉塞位置から開放位置へと回動することを特徴とするディスクの誤挿入防止機構。
【発明の詳細な説明】
【技術分野】
【０００１】
本発明は、ＣＤやＤＶＤ等のディスクに対して情報の再生および／または記録が可能なディスク装置に係り、特に、前面板に設けられた挿入口からディスクを挿入／排出するスロットイン方式のディスク装置に備えられるディスクの誤挿入防止機構に関するものである。
【背景技術】
【０００２】
従来より、ディスク装置の外殻を構成する筐体の前面板にスリット状の挿入口を開設すると共に、この挿入口の前方に回動可能なシャッタを配設し、ディスクが装置内に装填されているときに挿入口をシャッタで閉塞することにより、装置内に別のディスクが挿入されるのを避けるようにした誤挿入防止機構が知られている（例えば、特許文献１参照）。
【０００３】
かかる既知のディスクの誤挿入防止機構は、ディスクを装置内に装填可能なローディングスタンバイ状態にあるとき、ディスク搬送機構からの駆動力でシャッタを前面板の外方へ回動することにより、挿入口を開放してディスクの挿入を許可し、ディスクが装置内に装填されてプレイ状態等にあるとき、ばね部材の付勢力でシャッタを回動して挿入口を閉塞することにより、装置内に別のディスクが装填されるのを防止できるようになっている。また、装置内に装填されたディスクを排出するイジェクト時は、挿入口を閉塞しているシャッタの裏面にディスクの外周縁を突き当てることにより、ディスクの排出力でシャッタを前面板の外方へ回動するようにしている。
【特許文献１】特開平８−２４９７７１号公報（第９−１０頁、図６４）
【発明の開示】
【発明が解決しようとする課題】
【０００４】
しかしながら、前述した従来技術によるディスクの誤挿入防止機構は、シャッタが前面板の外方へ回動して挿入口を開放するフラップ式であるため、前面板の前方にシャッタが突出するための大きなスペースを確保しなければならず、このことがディスク装置全体の奥行き寸法の小型化を妨げる大きな要因となっていた。
【０００５】
本発明は、このような従来技術の実情に鑑みてなされたもので、その目的は、ディスク装置全体の奥行き寸法を小型化するのに好適なディスクの誤挿入防止機構を提供することにある。
【課題を解決するための手段】
【０００６】
本発明は、前面板の外表面に沿って回動可能なシャッタを用い、このシャッタを前面板の外表面から離間する方向へ弾性付勢すると共に、該シャッタの回動軌跡内にストッパを配設し、ローディングスタンバイ時にシャッタを回動させて挿入口を開放する場合は、シャッタを前面板の外表面から浮かせてストッパに当接しないようにし、挿入口の閉塞位置にあるシャッタに向けてディスクが挿入されたとき、該ディスクの挿入力でシャッタを前面板の外表面側に押し付けることにより、シャッタがストッパに当接して回転できなくなるようにした。
【発明の効果】
【０００７】
本発明によるディスクの誤挿入防止機構は、ローディングスタンバイ時に開放手段でシャッタを回動させて挿入口を開放する場合、シャッタは弾性手段の付勢力で前面板の外表面から離間してストッパと当接しないが、挿入口の閉塞位置にあるシャッタに向けてディスクが挿入されたとき、ディスクの挿入力でシャッタが弾性手段の付勢力に抗して前面板の外表面側に押し付けられてストッパに当接するようにしたので、シャッタを前面板の外表面に沿って回動可能に配設したにも拘わらず、該シャッタによって装置内に別のディスクが誤挿入されるのを確実に防止することができ、それゆえ、前面板の前方に必要とされるシャッタの収納スペースを削減してディスク装置全体の奥行き寸法を小型化することができる。
【発明を実施するための最良の形態】
【０００８】
本発明によるディスクの誤挿入防止機構では、ディスクを挿入および排出するためのスリット状の挿入口が設けられた前面板と、この前面板の外表面に沿って回動可能なシャッタと、このシャッタの回動軌跡内に配設されたストッパと、前記シャッタを前記前面板の外表面から離間する方向へ付勢して前記ストッパとの当接を回避する弾性手段と、前記シャッタを回転駆動して前記挿入口を選択的に開閉する開放手段とを備え、前記挿入口の閉塞位置にある前記シャッタに向けてディスクが挿入されたとき、前記シャッタが前記弾性手段の付勢力に抗して前記前面板の外表面側に押し付けられて前記ストッパと当接することにより、該シャッタの回転が阻止されるように構成した。
【０００９】
このように構成されたディスクの誤挿入防止機構によれば、ローディングスタンバイ時に開放手段でシャッタを回動させて挿入口を開放する場合、シャッタは弾性手段の付勢力で前面板の外表面から離間してストッパと当接しないが、挿入口の閉塞位置にあるシャッタに向けてディスクが挿入されたとき、ディスクの挿入力でシャッタが弾性手段の付勢力に抗して前面板の外表面側に押し付けられてストッパに当接するようにしたので、シャッタを前面板の外表面に沿って回動可能に配設したにも拘わらず、該シャッタによって装置内に別のディスクが誤挿入されるのを確実に防止することができ、それゆえ、前面板の前方に必要とされるシャッタの収納スペースを削減してディスク装置全体の奥行き寸法を小型化することができる。
【００１０】
上記の構成において、前記弾性手段はシャッタを前面板の外表面から離間する方向へ付勢できるものであれば何でも良いが、この弾性手段がシャッタに片持ち梁状に固着された板ばねからなり、この板ばねの自由端部を前面板の外表面に弾接させることが好ましい。このような構成を採用すると、シャッタをスムーズに回動させることができると共に、外部振動に起因するシャッタと前面板の外表面との衝突を防止してラットルノイズの発生を抑制することができる。
【００１１】
また、上記の構成において、前記シャッタは合成樹脂製であっても良いが、シャッタが金属板製の回動アームからなると共に、この回動アームの一側縁に前面板の外表面に対して起立方向へ突出する折曲湾曲部を形成し、回動アームが挿入口の閉塞位置にあるとき、該挿入口の長手方向に沿う直線に対して折曲湾曲部を傾斜させることが好ましい。このような構成を採用すると、回動アームの機械的強度を折曲湾曲部によって高めることができると共に、ディスクのイジェクト時に、挿入口内で傾斜している折曲湾曲部の裏面側にディスクの外周縁が当接して回動アームを回動させるため、ディスクの損傷を防止することができる。
【００１２】
また、上記の構成において、１つのシャッタを用いて挿入口を開閉するようにしても良いが、シャッタが前面板の外表面に軸支された一対の回動アームからなり、これら回動アームの端部同士をギア結合して同期回転するように構成すると、ディスクが挿入口の中心から外れた端部位置から挿入された場合でも、ディスクの誤挿入を確実に防止することができて好ましい。この場合、一対の回動アームが挿入口の閉塞位置にあるとき、該挿入口の長手方向に沿う直線に対して一対の回動アームが逆向きに傾斜するように設定することが好ましい。
【００１３】
また、上記の構成において、開放手段によってシャッタ（回動アーム）を直接回動するようにしても良いが、シャッタと開放手段との間にクラッチ板を介設し、このクラッチ板をシャッタと同軸上に配置すると共に、これらシャッタとクラッチ板とに捻りコイルばねの両端を掛止することが好ましい。このような構成を採用すると、開放手段でシャッタを回動するローディングスタンバイ時に、ユーザがシャッタを無理に押さえ付けるという悪戯がなされたとしても、開放手段からシャッタに作用する過度の駆動力がクラッチ板の回転によって吸収されるため、シャッタの損傷を防止することができる。
【００１４】
上記の如く構成されたディスクの誤挿入防止機構はスロットイン方式のディスク装置全般に適用可能であるが、ディスクの周縁部が挿入されるガイド溝を有する搬送ガイド体と、この搬送ガイド体に対向して列状に配置された搬送プーリ群と、これら搬送ガイド体と搬送プーリ群との対向間隔を可変させる可変動力部とを備えたチェンジャ型ディスク装置である場合、可変動力部を駆動源としてスライド動作する駆動部材を前記開放手段として用い、この駆動部材の一部を前面板の裏面側から外表面側に突出してシャッタを回動させることが好ましい。この場合、可変動力部が搬送ガイド体と搬送プーリ群との対向間隔を最小にする動きを利用して駆動部材をスライド動作させ、この駆動部材のスライド移動に伴ってシャッタを回動するようにすれば、ローディングスタンバイ時にシャッタを開放位置へ回動させて挿入口へのディスクの挿入を許可し、ディスクのプレイ時やチェンジ動作時にシャッタを閉塞位置へ回動させて別のディスクが誤挿入されるのを防止できる。
【実施例】
【００１５】
実施例について図面を参照して説明すると、図１はチェンジャ型ディスク装置の要部を示す断面図、図２は回動アームが閉鎖位置にあるときの誤挿入防止機構を示す正面図、図３は回動アームが開放位置にあるときの誤挿入防止機構を示す正面図、図４は誤挿入防止機構の要部を示す斜視図、図５は可変動力部の内部機構を示す裏面図、図６は可変動力部の内部機構を示す平面図、図７はディスクのイジェクト時における誤挿入防止機構の斜視図、図８は回動アームとストッパの関係を示す説明図である。
【００１６】
本実施例に係るチェンジャ型ディスク装置は、外形寸法が８ｃｍのディスクＤ（小径ディスク）と１２ｃｍのディスクＤ（大径ディスク）をそれぞれ再生可能で、かつ、複数枚の大径ディスクＤを収納してそのうち１枚のディスクＤを選択的に再生可能なスロットイン方式のディスク再生装置である。図１に示すように、このチェンジャ型ディスク装置は、箱形形状の筐体１と該筐体１の前方に配設されたノーズ部材２とを備えており、ノーズ部材２にはディスクＤを挿通可能な横長形状の開口２ａが開設されている。ノーズ部材２は筐体１の前面板３に固定されており、この前面板３にはノーズ部材２の開口２ａに連通するスリット状の挿入口３ａが開設されている。これらノーズ部材２と前面板３との間には所定の間隙Ｓが確保されており、この間隙Ｓ内にディスクの誤挿入防止機構が配設されている。
【００１７】
図２と図３に示すように、この誤挿入防止機構は、前面板３の外表面に回動可能に支持された第１および第２の回動アーム４，５と、第１の回動アーム４の回転中心軸に同軸配置されたクラッチ板６と、クラッチ板６を介して第１および第２の回動アーム４，５を回転駆動する駆動部材７と、第１の回動アーム４の回動軌跡内に配設されたストッパ８と、第１の回動アーム４を前面板３の外表面から離間方向へ付勢する弾性手段としての板ばね９と、第１および第２の回動アーム４，５を閉塞方向へ回動付勢するスプリング１０等を備えており、ストッパ８と板ばね９によってロック手段が構成されている。
【００１８】
第１および第２の回動アーム４，５は挿入口３ａを開閉するシャッタとして機能するもので、いずれも金属板をプレス加工することにより長尺状に形成されている。第１および第２の回動アーム４，５はそれぞれピン１１，１２を用いて前面板３の外表面に回動可能に支持されており、それぞれの一端部（基端部）に形成された円弧状に連続するギヤ部４ａ，５ａを噛合させることにより、第１および第２の回動アーム４，５はピン１１，１２を中心として互いに逆向きに同期回転するように連結されている。また、第１および第２の回動アーム４，５の長手方向に沿う一側縁には折曲湾曲部４ｂ，５ｂが形成されており、これら折曲湾曲部４ｂ，５ｂによって金属板からなる第１および第２の回動アーム４，５の機械的強度が高められている。これら折曲湾曲部４ｂ，５ｂは前面板３の外表面に対して起立方向へ突出しており、その折曲部分には滑らかな曲面が形成されている。そして、このように第１および第２の回動アーム４，５が前面板３の外表面に沿って回動可能であるため、ノーズ部材２と前面板３間に画成される狭い間隙Ｓ内に第１および第２の回動アーム４，５を含む誤挿入防止機構を収納することができ、その分、チェンジャ型ディスク装置全体の奥行き寸法が小型化されている。
【００１９】
クラッチ板６は第１の回動アーム４の回転中心軸であるピン１１に回転可能に軸支されており、このピン１１に捻りコイルばね１３が巻装されている。クラッチ板６には作動受部６ａとばね受部６ｂが一体形成されており、捻りコイルばね１３の両腕部をこのばね受部６ｂと第１の回動アーム４に形成されたばね受部４ｃとに掛止めすることにより、第１の回動アーム４とクラッチ板６は捻りコイルばね１３の弾発力によって常時係合する方向へ付勢されている。クラッチ板６の作動受部６ａは駆動部材７の突部７ａに当接しており、この駆動部材７は後述するガイド体間隔変更機構（可変動力部）を駆動源として前面板３の左右方向（矢印Ｘ１−Ｘ２方向）へスライド移動するようになっている。
【００２０】
ストッパ８は前面板３の外表面から第１の回動アーム４の回動軌跡内に向かって突出しており、本実施例の場合、ストッパ８は前面板３に一体形成された折曲片であるが、スタッド等の別部品を前面板３に固定したものをストッパ８として用いることも可能である。また、板ばね９は第１の回動アーム４の先端部にかしめ等の固定手段を用いて片持ち梁状に固着されており、この板ばね９の自由端にはＵ字状の摺動部９ａが折曲形成されている。この摺動部９ａは前面板３の外表面に弾接しており、外部振動に起因する第１の回動アーム４と前面板３の外表面との衝突が摺動部９ａによって防止されているため、ラットルノイズの発生が抑制されている。図８（ａ）に示すように、第１の回動アーム４の先端部は板ばね９の摺動部９ａの高さ相当分（Ｔ１）だけ前面板３の外表面から離間しており、その離間量Ｔ１はストッパ８の前面板３からの突出量Ｔ２よりも大きく設定されている。したがって、第１の回動アーム４に押圧方向（前面板３の方向）への外力が作用しない通常の使用状況下において、第１の回動アーム４はピン１１を回転中心軸としてストッパ８に当接することなく回動することができる。これに対して図８（ｂ）に示すように、第１の回動アーム４が前面板３の外表面側に押し付けられて摺動部９ａが弾性変形すると、前面板３の外表面に対する第１の回動アーム４の離間量Ｔ３がストッパ８の突出量Ｔ２よりも小さくなるため、第１の回動アーム４はストッパ８に当接して回動できないロック状態となる。
【００２１】
スプリング１０は前面板３と第２の回動アーム５との間に張架されており、このスプリング１０の引張力によって第２の回動アーム５が図２の反時計回り方向（矢印Ｂ１方向）へ付勢されると共に、第２の回動アーム５と同期回転する第１の回動アーム４が図２の時計回り方向（矢印Ａ１方向）へ付勢されている。また、第２の回動アーム５の先端に作動部５ｃが折曲形成されており、前面板３に固定されたプリント基板１４には作動部５ｃによって動作される検出スイッチ１５が実装されている。
【００２２】
図１および図４〜図６に示すように、筐体１は互いに接合・一体化された上部シャーシ１６と下部シャーシ１７とで構成されており、前面板３はこれら上部シャーシ１６と下部シャーシ１７の前面に複数本のネジを用いて固定されている。上部シャーシ１６にはディスク搬送機構１８やディスク収納部１９が配設されており、このディスク搬送機構１８によって挿入口３ａとプレイ位置間ならびにプレイ位置とディスク収納部１９間でディスクＤの搬送が行われる。一方、下部シャーシ１７には光ピックアップ等を搭載した駆動ユニット（いずれも図示せず）が配設されており、この駆動ユニットはドライブ駆動機構２０によって筐体１内の退避位置と駆動位置との間で前後進されるようになっている。なお、図４と図６において上部シャーシ１６の天板部は省略されており、図５と図６において上部シャーシ１６は天地逆に示されている。
【００２３】
ディスク搬送機構１８について簡単に説明すると、このディスク搬送機構１８はディスクＤの搬送方向に対して直交する向きにスライド移動可能な第１および第２のガイド部（図示せず）を備えており、両ガイド部の間隔はモータ２１を駆動源として動作されるガイド体間隔変更機構（可変動力部）によって変更可能となっている。上部シャーシ１６の天板部の裏面にはモータ２１とホイールギヤ２２およびスライドアーム２３等が配設されており、このスライドアーム２３は図４において省略されているが、前述した駆動部材７はスライドアーム２３に重ねて配置されている。スライドアーム２３に形成したラック部２３ａはホイールギヤ２２に噛合しており、モータ２１の回転に伴ってスライドアーム２３は矢印Ｘ１−Ｘ２方向へ移動する。駆動部材７も上部シャーシ１６の天板部に矢印Ｘ１−Ｘ２方向へ移動可能に支持されており、前述したように駆動部材７の突部７ａが前面板３を挿通してクラッチ板６の作動受部６ａに当接することにより、この駆動部材７は第１および第２の回動アーム４，５の復帰手段であるスプリング１０の弾性力により矢印Ｘ２方向へ付勢されている。また、駆動部材７には突部７ａと対向する位置に受部７ｂが折曲形成されており、この受部７ｂはスライドアーム２３に形成した作動突起２３ｂに対向している。これにより、モータ２１の回転に伴ってスライドアーム２３が矢印Ｘ１方向の末端位置へ移動したとき、突部７ａが作動突起２３ｂに押圧されて駆動部材７が矢印Ｘ１方向へ移動する。
【００２４】
なお、図示省略されているが、ホイールギヤ２２にはガイド体間隔変更機構の構成部材である一対のスライド板（図示省略）が噛合されており、前述した第１および第２のガイド部はこれらスライド板に設けられている。そして、第１のガイド部に溝部を有する複数の搬送プーリＰ１，Ｐ２，Ｐ３（図１参照）等を支持し、上部シャーシ１６の天板部に配設した別のモータ（図５参照）２４から各搬送プーリ群に駆動力を伝達すると共に、第２のガイド部にディスクＤの搬送方向へ直線状に延びるガイド溝を有する搬送ガイド体を設けることにより、搬送プーリ群と搬送ガイド体との間に挟持したディスクＤに回転駆動力を付与して、該ディスクＤを挿入口３ａとプレイ位置間やプレイ位置とディスク収納部１９間で搬送するようになっている。また、モータ２１を駆動源として一対のスライド板をスライド移動させることにより、第１および第２のガイド部の搬送プーリ群と搬送ガイド体とを近接離反させることができるので、小径ディスクＤでも大径ディスクＤでも搬送することができるようになっている。
【００２５】
このように構成されたチェンジャ型ディスク装置において、任意のディスクＤを装置内に装填可能なローディングスタンバイ状態にあるとき、ガイド体間隔変更機構の第１および第２のガイド部は最も互いに近接した位置にあり、搬送プーリ群と搬送ガイド体は小径ディスクＤの直径よりも狭い間隔で対向している。この場合、ガイド体間隔変更機構の駆動源であるモータ２１の回転に伴ってスライドアーム２３は矢印Ｘ１方向の末端位置へ移動しており、スライドアーム２３の作動突起２３ｂが駆動部材７の突部７ａを同方向へ押圧するため、駆動部材７は図２の左方向（矢印Ｘ１方向）へスライド動作される。その結果、図３に示すように、駆動部材７の突部７ａによってクラッチ板６と第１の回動アーム４が反時計回り方向（矢印Ａ２方向）へ回動すると共に、第１の回動アーム４に同期して第２の回動アーム５が時計回り方向（矢印Ｂ２方向）へ回動し、検出スイッチ１５が第２の回動アーム５の作動部５ｃによってオン動作される。これにより、第１および第２の回動アーム４，５がいずれも挿入口３ａの上方へ退避し、挿入口３ａが開放状態となってディスクＤの挿入が許可されるため、任意のディスクＤをノーズ部材２の開口２ａから挿入口３ａを経て筐体１内へ挿入することができる。
【００２６】
なお、図８（ａ）に示すように、第１の回動アーム４は板ばね９の摺動部９ａからの弾発力によって前面板３の外表面から離間しており、その離間量Ｔ１はストッパ８の突出量Ｔ２よりも大きく設定されているため、第１の回動アーム４は摺動部９ａが前面板３の外表面に摺接しながらストッパ８に当接することなく回動する。したがって、第１および第２の回動アーム４，５は、このローディングスタンバイ時に前面板３の外表面に沿って挿入口３ａの閉塞位置から開放位置へとスムーズに回動することができる。また、このローディングスタンバイ時に第１および第２の回動アーム４，５の自由な回動が阻止された場合、例えばユーザがノーズ部材２の開口２ａから指等を差し込んで第１および第２の回動アーム４，５の少なくとも一方を無理に押さえ付けるという悪戯がなされた場合、駆動部材７の突部７ａによってクラッチ板６が回動阻止された第１の回動アーム４に対して回転することになる。したがって、駆動部材７からの大きな駆動力が第１の回動アーム４に直接作用することがクラッチ板６の回転によって吸収され、それによって第１および第２の回動アーム４，５の損傷を防止することができる。
【００２７】
かかるローディングスタンバイ状態でディスクＤが挿入口３ａから筐体１内へ挿入されると、モータ２１を駆動源として第１および第２のガイド部の間隔がディスクＤの搬送に好適な距離に設定されると共に、別のモータ２４を駆動源として搬送プーリ群が回転駆動されるため、挿入されたディスクＤは第１および第２のガイド部間に挟持されて筐体１の奥部へと搬送されていき、そのままプレイ動作されたりディスク収納部１９に収納される。この場合、第１および第２のガイド部の間隔は最も近接した位置から外側へ広げられるため、スライドアーム２３が矢印Ｘ１方向の末端位置からＸ２方向へ移動し、それに伴って駆動部材７もＸ２方向へと移動する。その結果、第１および第２の回動アーム４，５がスプリング１０の引張力によって互いに逆方向へ同期回転し、図２に示すように、挿入口３ａの一部が第１および第２の回動アーム４，５によって閉塞される。また、第２の回動アーム５の閉塞方向への回動によって検出スイッチ１５がオフ動作されるため、その切替信号に基づいてディスクＤが筐体１内に装填されたことが検出される。この場合も第１の回動アーム４は摺動部９ａが前面板３の外表面に摺接しながらストッパ８に当接することなく回動するため、第１および第２の回動アーム４，５は前面板３の外表面に沿ってスムーズに回動することができる。なお、この閉塞位置で第１および第２の回動アーム４，５は挿入口３ａの長手方向に沿う直線に対して正面視で互いに逆向きに傾斜して対向しているが、挿入口３ａ上におけるこれら両回動アーム４，５の折曲湾曲部４ｂ，５ｂ間の距離は小径ディスクＤの直径よりも狭い間隔に設定されている。
【００２８】
ディスクＤのプレイ動作中またはディスク収納部１９とプレイ位置間でのチェンジ動作中においては、上記スライドアーム２３がＸ２方向へ移動した状態に保持され、第１および第２のガイド部は互いに離間した状態となっている。したがって、第１および第２の回動アーム４，５は挿入口３ａの閉塞位置に維持される。この状態で、ユーザが別のディスクＤをノーズ部材２の開口２ａ内に挿入すると、そのディスクＤの外周縁が折曲湾曲部４ｂ，５ｂの前端縁に当接するため、ディスクＤの挿入力によって第１の回動アーム４が前面板３の外表面側に押し付けられ、図８（ｂ）に示すように、板ばね９の摺動部９ａが大きく弾性変形し、前面板３の外表面に対する第１の回動アーム４の離間量Ｔ３がストッパ８の突出量Ｔ２よりも小さくなる。したがって、第１の回動アーム４はストッパ８に当接してロック状態となり、第１の回動アーム４と同期回転する第２の回動アーム５も回動規制された状態となるため、筐体１内でディスクＤの動作中に誤って別のディスクＤがノーズ部材２の開口２ａ内に挿入されたとしても、このディスクＤは第１および第２の回動アーム４，５によって挿入口３ａを通過することができず、筐体１内に別のディスクＤが誤挿入されるのを確実に防止することができる。
【００２９】
また、筐体１内に装填されたディスクＤを排出するイジェクト時は、搬送プーリ群が挿入時と逆方向に回転駆動されることにより、ディスクＤが第１および第２のガイド部間に挟持されて筐体１の手前側へ搬送される。これにより図７に示すように、挿入口３ａを閉塞している第１および第２の回動アーム４，５の裏面にディスクＤの外周縁が突き当たり、ディスクＤの排出力で第１および第２の回動アーム４，５が開放方向（Ａ２，Ｂ２方向）へ回動されるため、このディスクＤを挿入口３ａと開口２ａを通ってノーズ部材２の外部に取り出すことができる。このとき、排出方向へ搬送されるディスクＤの外周縁は第１および第２の回動アーム４，５の折曲湾曲部４ｂ，５ｂに突き当たるが、これら折曲湾曲部４ｂ，５ｂは挿入口３ａの長手方向に沿う直線に対して逆向きに傾斜し、かつ、その折曲部分に滑らかな曲面が付けられているため、ディスクＤを損傷することなく第１および第２の回動アーム４，５を開放方向へ回動することができる。
【００３０】
なお、上記実施例では、同期回転するようにギア結合された第１および第２の回動アーム４，５のうち、一方の第１の回動アーム４側のみにストッパ８と板ばね９で構成されるロック手段を適用した場合について説明したが、このようなロック手段を第１および第２の回動アーム４，５の両方に適用しても良く、その場合、ディスクＤの誤挿入時における第１および第２の回動アーム４，５のロック保持力を一層高めることができる。
【００３１】
また、上記実施例では、前面板３の外表面から第１の回動アーム４に向けて突出させたストッパ８と、第１の回動アーム４を前面板３の外表面からら離間させる方向へ付勢する板ばね９とでロック手段を構成し、ディスクＤの誤挿入時に第１の回動アーム４を前面板３の外表面側に押し付けてストッパ８と当接させるようにしているが、これとは逆に、前面板３の外表面にストッパとしての係止孔を開設すると共に、シャッタ（第１および／または第２の回動アーム）に前面板３の外表面に向かって突出する突部を設け、ディスクＤの誤挿入時に第１の回動アーム４を前面板３の外表面側に押し付けて突部を係止孔に当接させるようにすることも可能である。この場合、前面板３の外表面に開設されている挿入口３ａの一部を係止孔（ストッパ）として兼用することができる。
【図面の簡単な説明】
【００３２】
【図１】実施例に係るチェンジャ型ディスク装置の要部を示す断面図である。
【図２】回動アームが閉鎖位置にあるときの誤挿入防止機構を示す正面図である。
【図３】回動アームが開放位置にあるときの誤挿入防止機構を示す正面図である。
【図４】誤挿入防止機構の要部を示す斜視図である。
【図５】可変動力部の内部機構を示す裏面図である。
【図６】可変動力部の内部機構を示す平面図である。
【図７】ディスクのイジェクト時における誤挿入防止機構の斜視図である。
【図８】回動アームとストッパの関係を示す説明図である。
【符号の説明】
【００３３】
１  筐体
２  ノーズ部材
２ａ  開口
３  前面板
３ａ  挿入口
４  第１の回動アーム（シャッタ）
４ａ  ギヤ部
４ｂ  折曲湾曲部
５  第２の回動アーム（シャッタ）
５ａ  ギヤ部
５ｂ  折曲湾曲部
６  クラッチ板
７  駆動部材
７ａ  突部
８  ストッパ
９  板ばね（弾性手段）
９ａ  摺動部
１０  スプリング
１１，１２  ピン
１３  捻りコイルばね
１８  ディスク搬送機構
１９  ディスク収納部
２１  モータ
２２  ホイールギヤ
２３  スライドアーム
２３ａ  ラック部
２３ｂ  作動突起
【図１】
2005267781.tif 000003
【図２】
2005267781.tif 000004
【図３】
2005267781.tif 000005
【図４】
2005267781.tif 000006
【図５】
2005267781.tif 000007
【図６】
2005267781.tif 000008
【図７】
2005267781.tif 000009
【図８】
2005267781.tif 000010